(57)【特許請求の範囲】
【請求項１】
開閉器ケース（１０）内に配設された固定電極（１３）に対し可動電極（１６）を接離可能に装着した開閉器において、
前記開閉器ケース（１０）に取り付けられたブッシング（１２）に支持された導電棒（１４）の内端部下面に固定支持板（２１）を締め付け固定し、同固定支持板（２１）に対し前記可動電極（１６）が回動可能に支持された状態の電極支持部材（２３）を装着し、当該電極支持部材（２３）を前記導電棒（１４）の軸線方向に対して左右方向に摺動調整又は左右方向に回動調整する電極位置調整機構（１５）を設けたことを特徴とする開閉器の可動電極支持構造。
【請求項２】
請求項１において、前記電極位置調整機構（１５）は、前記導電棒（１４）に固定され、かつ左右一対の支持板部（２１ｂ，２１ｃ）を備え、両支持板部（２１ｂ，２１ｃ）にはネジ孔（２１ｄ，２１ｅ）が形成された固定支持板（２１）と、前記固定支持板（２１）の支持板部（２１ｂ，２１ｃ）に対し複数のセットボルト（２４，２５）により連結される調整板（２３ｂ，２３ｃ）を備え、両調整板（２３ｂ，２３ｃ）には長孔状の調整孔（２３ｄ，２３ｅ）が形成された電極支持部材（２３）とにより構成され、前記調整板（２３ｂ，２３ｃ）は、支持板部（２１ｂ，２１ｃ）に対し左右方向に摺動又は左右方向の回動位置調整可能に前記セットボルト（２４，２５）により締め付け固定されている開閉器の可動電極支持構造。
【発明の詳細な説明】
【０００１】
【発明の属する技術分野】
本発明は、開閉器の可動電極支持構造に係り、詳しくは可動電極の取付位置を調整し、固定電極に対する可動電極の対応関係を適正に保持することができる開閉器の可動電極支持構造に関するものである。
【０００２】
【従来の技術】
従来、開閉器として図８に示すものが知られている。この開閉器は開閉器ケース１０の互いに対向する左側壁１０ａ及び右側壁１０ｂに電源側ブッシング１１及び負荷側ブッシング１２を貫通固定し、電源側ブッシング１１には固定電極１３を設け、負荷側ブッシング１２には導電棒１４を貫通支持している。導電棒１４には可動電極支持部材３１が二本のボルト２２により取り付けられ、この可動電極支持部材３１には可動電極１６が連結ピン２６により開閉可能に支持されている。そして、図示しない開閉駆動機構により可動電極１６を連結ピン２６を中心に上下方向に傾動すると、固定電極１３に対し可動電極１６が接触又は離隔され、電路の入り・切りを行うようになっている。
【０００３】
【発明が解決しようとする課題】
ところが、上記従来の開閉器における可動電極１６の支持構造は、導電棒１４に対し可動電極支持部材３１をボルト２２により締め付け固定していたので、可動電極１６の取付位置が所定位置に設定され、この結果、固定電極１３と可動電極１６の対応関係に狂いが生じた場合に、それを可動電極支持部材３１側で修正することができないという問題があった。
【０００４】
固定電極１３に対する可動電極１６の対応関係を修正するには、負荷側ブッシング１２を右側壁１０ｂに対し位置調整する方法がとられている。この位置調整は右側壁１０ｂに負荷側ブッシング１２を締め付け固定する締付機構３２の多数の締め付けボルト３３を緩めて三相の負荷側ブッシング１２を同時に移動する。このため、各相毎の可動電極１６の微妙な位置調整作業ができないばかりでなく、三相の可動電極１６の位置調整作業が面倒であった。
【０００５】
この発明の目的は上記従来の技術に存する問題点を解消して、可動電極の取り付け姿勢を各相毎に容易に調整することができる開閉器における可動電極の支持構造を提供することにある。
【０００６】
【課題を解決するための手段】
上記問題点を解決するために、請求項１に記載の発明は、開閉器ケース内に配設された固定電極に対し可動電極を接離可能に装着した開閉器において、前記開閉器ケースに取り付けられたブッシングに支持された導電棒の内端部下面に固定支持板を締め付け固定し、同固定支持板に対し前記可動電極が回動可能に支持された状態の電極支持部材を装着し、当該電極支持部材を前記導電棒の軸線方向に対して左右方向に摺動調整又は左右方向に回動調整する電極位置調整機構を設けたことを要旨とする。
【０００７】
請求項２に記載の発明は、請求項１において、前記電極位置調整機構は、前記導電棒に固定され、かつ左右一対の支持板部を備え、両支持板部にはネジ孔が形成された固定支持板と、前記固定支持板の支持板部に対し複数のセットボルトにより連結される調整板を備え、両調整板には長孔状の調整孔が形成された電極支持部材とにより構成され、前記調整板は、支持板部に対し左右方向に摺動又は左右方向の回動位置調整可能に前記セットボルトにより締め付け固定されていることを要旨とする。
【００１１】
【発明の実施の形態】
以下、この発明を具体化した一実施形態を図１〜図５に基づいて説明する。
図１に示すように、開閉器ケース１０の互いに対向する左側壁１０ａ及び右側壁１０ｂには電源側ブッシング１１及び負荷側ブッシング１２が三相（一相分のみ図示）毎に互いに対向するように貫通支持されている。図１及び図５に示すように、前記電源側ブッシング１１の内端には断面ほぼ八角形状の固定電極１３が突設されている。固定電極１３の上部において長手方向に沿う両側の一対のテーパー面は案内面１３ａに、固定電極１３の中央両側面は通電接触面１３ｂになっている。
【００１２】
図１に示すように、負荷側ブッシング１２の内端部には導電棒１４が突設されており、該導電棒１４には電極位置調整機構１５を介して可動電極１６の基端部が回動可能に支持されている。
【００１３】
前記可動電極１６の中間部には連結軸１７を介して駆動リンク１８が連結され、該駆動リンク１８の上端部にはレバー１９が連結されている。そして、前記レバー１９が外部操作可能に構成された開閉機構部（図示略）により回動されると、可動電極１６が固定電極１３に対し投入位置と閉鎖位置との間で切り換えられる。
【００１４】
次に、前記電極位置調整機構１５について説明すると、図５に示すように前記導電棒１４は横断面が太鼓状に形成され、その先端部には前後方向（導電棒１４の長手方向と同方向）に所定間隔をおいてネジ孔１４ａ，１４ｂが二箇所に形成されている。前記導電棒１４の先端下面には固定支持板２１の中央底板部が接触され、この底板部に設けた孔２１ａにボルト２２を挿通して前記ネジ孔１４ａ，１４ｂに螺合し、導電棒１４に固定支持板２１を締め付け固定している。前記固定支持板２１は左右に延びる水平の支持板部２１ｂ，２１ｃを備えており、両支持板部２１ｂ，２１ｃにはネジ孔２１ｄ，２１ｅが形成されている。
【００１５】
前記固定支持板２１の上部には電極支持部材２３が装着されている。この電極支持部材２３は正面からみて縦長のヘアピン状をなす本体２３ａと、その下端両側部に左右両外側方に水平に折り曲げ形成した調整板２３ｂ，２３ｃとにより構成されている。前記調整板２３ｂ，２３ｃには、前記固定支持板２１のネジ孔２１ｄ，２１ｅと対応するように左右方向に長く、かつ後記するセットボルト２４、２５のネジ部外径よりやや大きめの調整孔２３ｄ、２３ｅが形成されている。
【００１６】
前記調整孔２３ｄから下方に挿入されたセットボルト２４はネジ孔２１ｄに螺合され、調整孔２３ｅから下方に挿入されたセットボルト２５はネジ孔２１ｅに螺合されている。前記本体２３ａには軸支孔２３ｆが形成され、該軸支孔２３ｆには連結ピン２６が貫通され、この連結ピン２６によって可動電極１６の基端部が回動可能に支持されている。前記連結ピン２６の先端部に形成した雄ネジ部にはナット２７が螺合され、ナット２７と電極支持部材２３の本体２３ａとの間にはコイルばね２８及び座金２９が介在されている。前記可動電極１６は一対の平板状の接触刃１６ａ，１６ｂと、両接触刃１６ａ，１６ｂの外側からそれぞれ重ね合わされた平板状の補強部材１６ｃ，１６ｄを備えている。
【００１７】
次に、前記のように構成した開閉器の可動電極１６の支持構造について、その動作を説明する。
図１に実線で示す可動電極１６の投入状態において、レバー１９が上方に持ち上げられると駆動リンク１８を介して連結軸１７が上方に持ち上げられ、可動電極１６は連結ピン２６を中心に上方に傾動される。このため可動電極１６は投入状態から図１に鎖線で示す開放位置に切り換えられる。反対に、レバー１９が図１において鎖線で示す開放位置から下方に移動されると可動電極１６が実線で示す投入位置に切り換えられる。
【００１８】
前記可動電極１６の支持構造について、その効果を構成とともに列記する。
（１）導電棒１４の先端下部に固定支持板２１をボルト２２により締め付け固定し、固定支持板２１の左右両側の支持板部２１ｂ，２１ｃにネジ孔２１ｄ，２１ｅを形成し、電極支持部材２３の調整板２３ｂ，２３ｃに形成した長孔状の調整孔２３ｄ，２３ｅからセットボルト２４，２５を挿入しネジ孔２１ｄ，２１ｅに螺合するようにした。このため、固定支持板２１の支持板部２１ｂ，２１ｃ上面において電極支持部材２３を導電棒１４の中心軸Ｓに対し左右水平方向調節（図５のＴ矢印）及び回動位置調節（Ｍ矢印）が可能である。このため可動電極１６の取り付け姿勢を調整し、固定電極１３と正常に向き合う適正位置に装着することができる。
【００１９】
（２）前記実施形態では固定支持板２１の上面に電極支持部材２３を支持し、セットボルト２４，２５を上方からネジ孔２１ｄ，２１ｅに螺合するようにした。このため、固定支持板２１に対する電極支持部材２３の取り付け作業を容易に行うことができるとともに、電極支持部材２３の位置調整作業を容易に行うことができる。
【００２０】
なお、前記実施形態は以下のように変更してもよい。
○  図６に示すように導電棒１４に対し電極支持部材２３をボルト２２により締め付け固定するように構成し、電極支持部材２３に前記導電棒１４の上面に支持されるＵ字状部２３ｇを形成し、その底部に円形の孔２３ｈと長孔２３ｉを形成する。又、前記電極支持部材２３の上端部には連結ピン２６を貫通する軸支孔２３ｆを設ける。二本のボルト２２のうち一方のボルト２２を孔２３ｈを貫通して導電棒１４のネジ孔１４ａに螺合した状態で、電極支持部材２３をボルト２２を中心に水平方向に回動し、他方のボルト２２を長孔２３ｉを貫通してネジ孔１４ｂに螺合し、電極支持部材２３の取付位置の調整を行うようになっている。この別例は前述した実施形態と比較して部品点数を低減することができる。
【００２１】
○  図７に示すように導電棒１４に円形の孔１４ｃと長孔１４ｄを形成し、導電棒１４を覆うように形成された電極支持部材２３のＵ字状部２３ｇの底部にネジ孔２３ｊ，２３ｋを形成する。そして、ボルト２２，２２を上方から孔１４ｃ及び挿通孔１４ｄに挿通しネジ孔２３ｊ，２３ｋに螺合するようにしてもよい。この別例は前述した実施形態と比較して部品点数を低減することができる。なお、前記ボルト２２として六角孔付きボルトを用いて回動を行い易くするのが望ましい。
【００２２】
○  図６及び図７に示す別例において、孔２３ｈも長孔とし、孔１４ｃも長孔としてもよい。
【００２３】
【発明の効果】
以上詳述したように、請求項１，２記載の発明は、可動電極の取付位置の調整を容易に行うことができる。
【図面の簡単な説明】
【図１】この発明を具体化した開閉器の開閉機構部の正面図。
【図２】開閉機構部の平面図。
【図３】可動電極の支持機構部の断面図。
【図４】図１の１−１線における駆動リンクを省略した断面図。
【図５】可動電極の支持構造を示す分解斜視図。
【図６】この発明の別例を示す可動電極の支持構造の斜視図。
【図７】この発明の別例を示す可動電極の支持構造の分解斜視図。
【図８】従来の開閉器の可動電極支持構造を示す略体断面図。
【符号の説明】
１０…開閉器ケース、１２…ブッシング、１３…固定電極、１４…導電棒、１５…電極位置調整機構、１６…可動電極、２１…固定支持板、２１ｂ，２１ｃ…支持板部、２１ｄ，２１ｅ…ネジ孔、２３…電極支持部材、２３ｂ，２３ｃ…調整板、２３ｄ，２３ｅ…調整孔。
【図１】
0003612269.tif 000002
【図２】
0003612269.tif 000003
【図３】
0003612269.tif 000004
【図４】
0003612269.tif 000005
【図５】
0003612269.tif 000006
【図６】
0003612269.tif 000007
【図７】
0003612269.tif 000008
【図８】
0003612269.tif 000009